(57)【特許請求の範囲】
【請求項１】
身体側に設けられた液透過性のトップシートと、反身体側に設けられた液不透過性のバックシートと、前記トップシートとバックシートの間に設けられた排泄物を吸収する吸収体と、前記バックシートの反身体側に設けられた外装シートを備えた使い捨ておむつにおいて、
前記バックシートと外装シートにおける吸収体の腹側端部と腹側のエンドフラップ部に跨って、幅方向に伸縮性を有する腹側伸縮シートを設け、
前記外装シートの背側部の両側部に、左右一対のファスニングテープを設け、
前記外装シートの腹側部に、前記ファスニングテープを係止する相互に離間した左右一対のターゲットシートを設け、
前記ファスニングテープを幅方向に延在する仮想線に対して所定の交差角度をもって傾斜して設け、前記ターゲットシートを幅方向に延在する仮想線に対して所定の交差角度をもって傾斜して設け、平面視において、前記ファスニングテープとターゲットシートを平行に設け、
前記腹側伸縮シートに前後方向に所定の間隔を隔てて幅方向に延在する複数の弾性伸縮部材を設け、前記腹側伸縮シートにおける吸収体側に設けられた弾性伸縮部材の間隔を吸収体の反対側に設けられた弾性伸縮部材の間隔よりも狭くしたことを特徴とする使い捨ておむつ。
【請求項２】
幅方向における前記吸収体の腹側部の中央部に切欠き部を設けた請求項１記載の使い捨ておむつ。
【請求項３】
平面視において、幅方向における前記ターゲットシートの内側部を、前記吸収体上に設けた請求項１又は２記載の使い捨ておむつ。
【発明の詳細な説明】
【技術分野】
【０００１】
本発明は、使い捨ておむつに関するものであり、特に、装着者の腹周りの膨らみに追従するテープタイプ使い捨ておむつに関するものである。
【背景技術】
【０００２】
従来、ファスニングテープによる腹周りの締付け状態を良好にするために、ファスニングテープを係止める幅方向に延在して設けられたターゲットシートの幅方向中央部に伸縮性を持たせたターゲットシートが提案されている。（特許文献１）
また、装着者の背中周りのフィット性を向上させるために、吸収体の背側部の幅方向の中心部に切欠き部を設けた吸収体が提案されている。（特許文献２）
【先行技術文献】
【特許文献】
【０００３】
【特許文献１】特開２０１５−６２６１６号公報
【特許文献２】特開２０１３−１４６６１１号公報
【発明の概要】
【発明が解決しようとする課題】
【０００４】
しかし、特許文献１に開示されたターゲットシートは、幅方向に延在しているので、腹側のエンドフラップ部の剛性を下げることができないという虞がある。
【０００５】
特許文献２に開示された切欠き部は、吸収体の背側に設けられているので、吸収体の腹側の剛性は高く装着者の姿勢によって変動する腹周りの膨らみに吸収体の腹側が追従することができずフィット性が悪いという虞がある。
【０００６】
そこで、本発明の主たる課題は、装着者の姿勢によって変動する腹周りの膨らみに追従できる使い捨ておむつを提供することにある。
【課題を解決するための手段】
【０００７】
上記課題を解決した本発明は次記のとおりである。
請求項１に係る発明は、身体側に設けられた液透過性のトップシートと、反身体側に設けられた液不透過性のバックシートと、前記トップシートとバックシートの間に設けられた排泄物を吸収する吸収体と、前記バックシートの反身体側に設けられた外装シートを備えた使い捨ておむつにおいて、
前記バックシートと外装シートにおける吸収体の腹側端部と腹側のエンドフラップ部に跨って、幅方向に伸縮性を有する腹側伸縮シートを設け、
前記外装シートの背側部の両側部に、左右一対のファスニングテープを設け、
前記外装シートの腹側部に、前記ファスニングテープを係止する相互に離間した左右一対のターゲットシートを設け、
前記ファスニングテープを幅方向に延在する仮想線に対して所定の交差角度をもって傾斜して設け、前記ターゲットシートを幅方向に延在する仮想線に対して所定の交差角度をもって傾斜して設け、平面視において、前記ファスニングテープとターゲットシートを平行に設け、
前記腹側伸縮シートに前後方向に所定の間隔を隔てて幅方向に延在する複数の弾性伸縮部材を設け、前記腹側伸縮シートにおける吸収体側に設けられた弾性伸縮部材の間隔を吸収体の反対側に設けられた弾性伸縮部材の間隔よりも狭くしたことを特徴とする使い捨ておむつである。
【０００８】
請求項２に係る発明は、幅方向における前記吸収体の腹側部の中央部に切欠き部を設けた請求項１記載の使い捨ておむつである。
【０００９】
【００１０】
請求項３に係る発明は、平面視において、幅方向における前記ターゲットシートの内側部を、前記吸収体上に設けた請求項１又は２記載の使い捨ておむつである。
【発明の効果】
【００１１】
請求項１記載の発明によれば、バックシートと外装シートにおける吸収体の腹側端部と腹側のエンドフラップ部に跨って、幅方向に伸縮性を有する腹側伸縮シートを設け、外装シートの背側部の両側部に、左右一対のファスニングテープを設け、外装シートの腹側部に、ファスニングテープを係止する相互に離間した左右一対のターゲットシートを設け、ファスニングテープを幅方向に延在する仮想線に対して所定の交差角度をもって傾斜して設け、ターゲットシートを幅方向に延在する仮想線に対して所定の交差角度をもって傾斜して設け、平面視において、ファスニングテープとターゲットシートを平行に設けているので、装着者の姿勢によって変動する腹周りの膨らみに伸縮性を有する腹側伸縮シートによって腹側のエンドフラップ部を伸縮させて追従させることができる。また、腹側のエンドフラップ部の剛性を低くして腹側のエンドフラップ部の柔軟性を維持することができる。さらに、ダーゲットシートにファスニングテープを容易に係止することができる。
また、腹側伸縮シートに前後方向に所定の間隔を隔てて幅方向に延在する複数の弾性伸縮部材を設け、腹側伸縮シートにおける吸収体側に設けられた弾性伸縮部材の間隔を吸収体の反対側に設けられた弾性伸縮部材の間隔よりも狭くしているので、装着者が前屈みになる場合に、腹側伸縮シートが抵抗にならず装着者が容易に前傾姿勢を取ることができる。
【００１２】
請求項２記載の発明によれば、請求項１記載の発明による効果に加えて、幅方向における吸収体の腹側部の中央部に切欠き部を設けているので、吸収体の腹側部の剛性を低くして吸収体の腹側部の柔軟性を維持し、装着者の姿勢によって変動する腹周りの膨らみに吸収体の腹側部を追従させることができる。
【００１３】
【００１４】
請求項３記載の発明によれば、請求項１又は２記載の発明による効果に加えて、平面視において、幅方向における前記ターゲットシートの内側部を、吸収体上に設けているので、ターゲットシートにファスニングテープを係止する場合に、装着者の腹周りに過度の力が加わることを防止することができる。
【図面の簡単な説明】
【００１５】
【図１】第１実施形態のテープタイプ使い捨ておむつを展開した内面平面図である。
【図２】第１実施形態のテープタイプ使い捨ておむつを展開した外面平面図である。
【図３】図１のＸ１−Ｘ１線断面図である。
【図４】（ａ）は背側伸縮シートの平面図であり、（ｂ）は腹側伸縮シートの平面図である。
【図５】第２実施形態のテープタイプ使い捨ておむつを展開した外面平面図である。
【図６】第３実施形態のテープタイプ使い捨ておむつを展開した外面平面図である。
【発明を実施するための形態】
【００１６】
＜第１実施形態のテープタイプ使い捨ておむつ＞
本発明の装着者、特に赤ちゃんや幼児のお腹の膨らみに追従する腹側のエンドフラップＥＦを備える使い捨ておむつの理解を容易にするために、第１実施形態のテープタイプ使い捨ておむつ１００について添付図面を参照して説明する。なお、本明細書においては、「前後方向」とは、腹側と背側を結ぶ方向を言い、「幅方向」とは、前後方向と直交する方向を言う。
【００１７】
図１〜３に示すように、テープタイプ使い捨ておむつ１００は、身体側面に設けられた液透過性のトップシート１０と、反身体側面に設けられた液不透過性のバックシート１１と、トップシート１０とバックシート１１の間に設けられた吸収要素２０とから形成されている。また、バックシート１１の反身体側面である外面には、外装シート１２が設けられている。なお、トップシート１０と吸収要素２０の間には、トップシート１０を透過した排泄物を吸収要素２０に移動させ、排泄物の逆戻りを防止する中間シート１５を設けるのが好適である。
【００１８】
幅方向において、吸収要素２０の左右側には、所定の間隔を隔てて排泄物の外部への漏れを防止する立体ギャザー３０，３０がそれぞれ設けられており、立体ギャザー３０，３０の基部の左右側には、所定の間隔を隔てて排尿の外部への漏れを防止する平面ギャザー４０，４０が形成されている。
【００１９】
前後方向において、吸収要素２０の前後側には、エンドフラップ部ＥＦ，ＥＦがそれぞれ形成されている。背側のエンドフラップ部ＥＦには、幅方向に伸縮可能な背側伸縮シート６０が設けられ、腹側のエンドフラップ部ＥＦには、幅方向に伸縮可能な腹側伸縮シート７０が設けられている。これにより、装着者にテープタイプ使い捨ておむつ１００を装着した場合には、装着者の胴周りに背側のエンドフラップ部ＥＦと腹側のエンドフラップ部ＥＦを密着して装着することができ、装着者の姿勢に係わらず装着者の腹部に腹側のエンドフラップ部ＥＦを追従させることができる。なお、エンドフラップ部ＥＦ，ＥＦには、吸収要素２０は延在されていない。
【００２０】
背側伸縮シート６０は、背側のエンドフラップ部ＥＦと吸収要素２０の背側端部に跨って設けられているが、背側伸縮シート６０を背側のエンドフラップ部ＥＦにのみ設けることができる。また、腹側伸縮シート７０は、腹側のエンドフラップ部ＥＦと吸収要素２０の腹側端部に跨って設けられているが、腹側伸縮シート７０を腹側のエンドフラップ部ＥＦにのみ設けることもできる。
【００２１】
幅方向において、吸収要素２０の左右側には、サイドフラップ部ＳＦ，ＳＦがそれぞれ形成され、サイドフラップ部ＳＦ，ＳＦにおける前後方向の後部には、テープタイプ使い捨ておむつ１００の装着時に使用するファスニングテープ５０，５０がそれぞれ設けられ、サイドフラップ部ＳＦ，ＳＦにおける前後方向の前部には、ファスニングテープ５０，５０が係止されるターゲットシート５５，５５がそれぞれ設けられている。なお、サイドフラップ部ＳＦ，ＳＦには、吸収要素２０は延在されていない。
【００２２】
次に、トップシート１０等の素材および特徴部分について順に説明する。
（トップシート）
トップシート１０は、有孔又は無孔の不織布や、多孔性プラスチックシート等で形成されている。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維等や、これらから二種以上が使用された混合繊維、複合繊維等を例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００２３】
（バックシート）
バックシート１１は、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とでバックシートが構成される。）等で形成されている。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、バックシート１１として用いることができる。
【００２４】
（外装シート）
外装シート１２は、吸収要素２０を支持し、着用者に装着するための部分である。外装シート１２は、両側部の前後方向中央部が括れた砂時計形状とされており、ここが着用者の脚を囲む部位となる。
【００２５】
外装シート１２は、不織布で形成するのが好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００２６】
（中間シート）
中間シート１５は、トップシート１０と同様の素材で形成されているが、同一でなくともよい。中間シート１５は、トップシート１０に接合するのが好ましく、その接合にヒートエンボスや超音波溶着を用いる場合は、中間シート１５の素材は、トップシート１０と同程度の融点をもつものが好ましい。中間シート１５に不織布を用いる場合、その不織布の繊維の繊度は２．０〜５．０ｄｔｅｘ程度とするのが好ましい。
【００２７】
（吸収要素）
吸収要素２０は、吸収体２１と、吸収体２１を包む包装シート２２とから形成されている。
【００２８】
（吸収体）
吸収体２１は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００２９】
吸収体２１は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００３０】
吸収体２１の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート２２上にある形態も排除されるものではない。
【００３１】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系等のものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体等のものを用いることができる。高吸収性ポリマー粒子の形状としては、通常用いられる粉粒体状のものが好適であるが、他の形状のものも用いることができる。
【００３２】
高吸収性ポリマー粒子としては、吸水速度が７０秒以下、特に４０秒以下のものが好適に用いられる。吸水速度が遅すぎると、吸収体２１内に供給された液が吸収体２１外に戻り出てしまう所謂逆戻りを発生し易くなる。
【００３３】
高吸収性ポリマー粒子の目付け量は、当該吸収体２１の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００３４】
（包装シート）
包装シート２２は、ティッシュペーパ、特にクレープ紙、不織布、ポリラミ不織布、小孔が開いたシート等で形成されている。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレン等を使用できる。繊維目付けは、５〜４０ｇ／ｍ2、特に１０〜３０ｇ／ｍ2のものが望ましい。
【００３５】
（立体ギャザー）
トップシート１０上を伝わって横方向に移動する尿や軟便を阻止し、横漏れを防止するために、身体側に向かって起立する立体ギャザー３０，３０を設けるのは好ましい。
【００３６】
立体ギャザー３０は、実質的に幅方向に連続するギャザーシート３１と、ギャザーシート３１に前後方向に沿って伸長状態で固定された細長状の弾性伸縮部材３２とにより構成されている。このギャザーシート３１としては撥水性不織布を用いることができ、また弾性伸縮部材３２としては糸ゴム等を用いることができる。弾性伸縮部材は、図３等に示すように各複数本設ける他、各１本設けることができる。
【００３７】
ギャザーシート３１の内面は、トップシート１０の側部上に幅方向の固着始端を有し、この固着始端から幅方向外側の部分は、バックシート１１の側部およびその幅方向外側に位置する外装シート１２の側部にホットメルト接着剤等により固着されている。
【００３８】
脚周りにおいては、立体ギャザー３０の固着始端より幅方向内側は、製品前後方向両端部ではトップシート１０上に固定されているものの、その間の部分は非固定の自由部分であり、この自由部分が弾性伸縮部材３２の収縮力により起立するようになる。おむつの、装着時には、おむつが舟形に体に装着されるので、そして弾性伸縮部材３２の収縮力が作用するので、弾性伸縮部材３２の収縮力により立体ギャザー３０が起立して脚周りに密着する。その結果、脚周りからのいわゆる横漏れが防止される。
【００３９】
（平面ギャザー）
サイドフラップ部ＳＦ，ＳＦにおける立体ギャザー３０，３０の基部の左右側には、平面ギャザー４０，４０が形成されている。各サイドフラップ部ＳＦ，ＳＦには、ギャザーシート３１の固着部分のうち固着始端近傍の幅方向外側において、ギャザーシート３１とバックシート１１との間に、糸ゴム等からなる脚周り弾性伸縮部材４１が前後方向に沿って伸長された状態で固定されており、これにより各サイドフラップ部ＳＦ，ＳＦの脚周り部分には、平面ギャザー４０，４０が形成される。
【００４０】
（ファスニングテープ）
図１に示すように、ファスニングテープ５０は、サイドフラップＳＦの後部に、固定された基材５１と、基材５１の内面に設けられた係止部５２から形成されている。また、図２に示すように、ファスニングテープ５０は、幅方向に延在する仮想線に対して傾斜して設けられ、ファスニングテープ５０の中心線と仮想線の交差角度αは、後述するターゲットシート５５の中心線と仮想線の交差角度βと同一角度である１５°〜３０°に設定されている。これにより、装着者にテープタイプ使い捨ておむつ１００の装着する場合には、ファスニングテープ５０をターゲットシート５５に容易に係止することができる。
【００４１】
基材５１の基部は、ホットメルト接着剤等によってギャザーシート３１と外装シート１２の間に固定されている。また、基材５１は、不織布、プラスチックフィルム、ポリラミ不織布、紙やこれらの複合素材から形成されている。
【００４２】
係止部５２は、メカニカルファスナーのフック材から形成されている。フック材は、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。もちろん、ファスニングテープ５０の係止部として粘着材層を設けることもできる。
【００４３】
（ターゲットシート）
図２に示すように、ターゲットシート５５は、幅方向に延在する仮想線に対して傾斜して設けられ、ターゲットシート５５ファスニングテープ５０の中心線と仮想線の交差角度βは、１５°〜３０°に設定され、幅方向におけるターゲットシート５５の内側部は、吸収要素２０の吸収体２１の腹側部上に位置している。また、ターゲットシート５５の大きさは、前後方向４０〜５０ｍｍ、幅方向６５〜１０５ｍｍであり、幅方向に４０〜５０ｍｍの間隔を隔てて左右に離間しており、ターゲットシート５５の内側部の３０〜３５ｍｍが吸収体２１に重なって設けられている。これにより、装着者にテープタイプ使い捨ておむつ１００の装着する場合には、ファスニングテープ５０をターゲットシート５５に容易に係止することができ、ファスニングテープ５０をターゲットシート５５に係止する場合に、吸収体２１の剛性によって過度の力が装着者に加わることを防止することができる。なお、ターゲットシート５５は、ループ糸が表面に多数設けられたプラスチックフィルムや不織布等から形成するのが好適である。
【００４４】
（背側伸縮シート）
背側伸縮シート６０は、背側のエンドフラップ部ＥＦを伸縮させて装着者の背中周りに背側のエンドフラップ部ＥＦを密着させる伸縮シートである。図４（ａ）に示すように、背側伸縮シート６０は、不織布から形成された内面シート６１と、不織布から形成された外面シート６２と、内面シート６１と外面シート６２の間に設けられた前後方向に所定の間隔を隔てて幅方向に延在する複数の細長状の弾性伸縮部材６３から形成されている。なお、弾性伸縮部材６３は、太さ４７０〜６２０ｄｔｅｘのゴム糸を、伸長率２００〜２５０％に伸ばして設けている。
【００４５】
幅方向における背側伸縮シート６０の両側部は、左右一対のギャザーシートの両側部の近傍に位置し、幅方向における弾性伸縮部材６３の両側部は、バックシート１１の両側部に位置している。また、弾性伸縮部材６３は、背側伸縮シート６０における背側伸縮シート６０と吸収要素２０が重なる部位には延在しておらず、バックシート１１の両側部と吸収要素２０の両側部の間に延在している。
【００４６】
（腹側伸縮シート）
腹側伸縮シート７０は、腹側のエンドフラップ部ＥＦを伸縮させて装着者の腹周りに腹側のエンドフラップ部ＥＦを密着させる伸縮シートである。図４（ｂ）に示すように、腹側伸縮シート７０は、不織布から形成された内面シート７１と、不織布から形成された外面シート７２と、内面シート７１と外面シート７２の間に設けられた前後方向に所定の間隔を隔てて幅方向に延在する複数の細長状の弾性伸縮部材７３から形成されており、腹側伸縮シート７０の前部の５〜１５ｍｍが吸収体２１と重なって設けられている。なお、弾性伸縮部材６３は、太さ４７０〜６２０ｄｔｅｘのゴム糸を、伸長率２００〜２５０％に伸ばして設けている。
【００４７】
幅方向における腹側伸縮シート７０の両側部は、左右一対のギャザーシート３１の両側部の近傍に位置し、幅方向における弾性伸縮部材７３の両側部は、左右一対のギャザーシート３１の内側の両側部の間に位置している。また、腹側伸縮シート７０における吸収要素２０側に偏倚して設けられた弾性伸縮部材７３の前後方向の間隔は、吸収要素２０反対側に設けられた弾性伸縮部材７３の前後方向の間隔よりも狭く設定されている。これにより、装着者が腹をかがめる時に、腹側伸縮シート７０が抵抗になることを防止して、装着者がお腹を容易にかがめることができる。
【００４８】
＜第２実施形態のテープタイプ使い捨ておむつ＞
次に、第２実施形態のテープタイプ使い捨ておむつ１０１について説明する。なお、第１実施形態のテープタイプ使い捨ておむつ１００と同一部品には、同一符号を付して説明を省略する。
【００４９】
図５に示すように、吸収要素２０の吸収体２１の腹側部における幅方向の中心部には、略逆Ｖ字形状の切欠き部２５（幅方向５〜１０ｍｍ、前後方向５〜１０ｍｍの三角形）が設けられている。これにより、第１実施形態のテープタイプ使い捨ておむつ１００が奏する効果に加えて、吸収体２１の腹側部の剛性を低下させて、装着者にテープタイプ使い捨ておむつ１０１を装着した場合には、装着者の姿勢の変化に伴う腹部の膨らみ等に追従して吸収体２１の腹側部が容易に変形して装着者に圧迫感等を与えることを防止することができる。
【００５０】
サイドフラップ部ＳＦ，ＳＦにおける前後方向の後部のファスニングテープ５０，５０は、幅方向の仮想線に平行、すなわち、幅方向に真直ぐ延在して設けられている。また、サイドフラップ部ＳＦ，ＳＦにおける前後方向の前部のターゲットシート５５，５５は、幅方向の仮想線に平行、すなわち、幅方向に真直ぐ延在して設けられ、幅方向におけるターゲットシート５５の内側は、吸収要素２０の吸収体２１の腹側部上に位置している。これにより、ファスニングテープ５０、ターゲットシート５５の位置決め制御を簡易に行うことができ製造作業の負担を低減することができる。
【００５１】
＜第３実施形態のテープタイプ使い捨ておむつ＞
次に、第３実施形態のテープタイプ使い捨ておむつ１０２について説明する。なお、第１実施形態のテープタイプ使い捨ておむつ１００と同一部品には、同一符号を付して説明を省略する。
【００５２】
図６に示すように、吸収要素２０の吸収体２１の腹側部における幅方向の中心部には、略逆Ｖ字形状の切欠き部２５が設けられている。これにより、第１実施形態のテープタイプ使い捨ておむつ１００が奏する効果に加えて、吸収体２１の腹側部の剛性を低下させて、装着者にテープタイプ使い捨ておむつ１０１を装着した場合には、装着者の姿勢の変化に伴う腹部の膨らみ等に追従して吸収体２１の腹側部が容易に変形して装着者に圧迫感等を与えることを防止することができる。
【００５３】
＜明細書中の用語の説明＞
明細書中で以下の用語が使用される場合、明細書中に特に記載が無い限り、以下の意味を有するものである。
・「伸長率」は、自然長を１００％としたときの値を意味する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
・「厚み」は、自動厚み測定器（ＫＥＳ−Ｇ５  ハンディー圧縮試験機）を用い、荷重：１０ｇｆ／ｃｍ２、及び加圧面積：２ｃｍ２の条件下で自動測定する。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載が無い場合、その試験や測定は、標準状態（試験場所は、温度２０±５℃、相対湿度６５％以下）の試験室又は装置内で行うものとする。
・各部の寸法は、特に記載が無い限り、自然長状態ではなく展開状態における寸法を意味し、展開状態とは、収縮や弛み無く平坦に展開した状態を意味する。
・ファスニングテープの交差角度α及びターゲットテープの交差角度βの測定は、テープタイプ使い捨ておむつを、展開状態で平坦な台上に置いて、分度器を用いて測定する。なお、必要に応じて測定対象の角の頂点を通る補助線や接線を油性ペンで引いて行うものとし、展開状態とは、収縮や弛み無く平坦に展開した状態を意味する。
【産業上の利用可能性】
【００５４】
本発明は、テープタイプ使い捨ておむつに利用可能なものである。
【符号の説明】
【００５５】
１０      トップシート
１１      バックシート
１２      外装シート
２１      吸収体
２５      切欠き部
５０      ファスニングテープ
５５      ターゲットシート
７０      腹側伸縮シート
７３      弾性伸縮部材
ＥＦ      エンドフラップ部
α      交差角度
β      交差角度
【図１】
0006601795.tif 000002
【図２】
0006601795.tif 000003
【図３】
0006601795.tif 000004
【図４】
0006601795.tif 000005
【図５】
0006601795.tif 000006
【図６】
0006601795.tif 000007